(57)【要約】      （修正有）【課題】構造がシンプルで組立て易い折畳式プラグ装置を提供する。【解決手段】主に基部１０、プラグ端子２０、作動部３０及びケース５０で構成する。該基部は宛がい壁と接続板を有する。プラグ端子は基部に接続する第一端子２１と第二端子２２を含み、第一端子に勘合部、固持柱及び第一接続柱２１４があり、第二端子に第二接続柱２２６を有する。作動部は接続板に接続し、扣持元件３１、回転軸、第一ねじりコイルバネ、連動柱及び第二ねじりコイルバネ３５を有する。扣持元件に扣持部３１３があり、第一ねじりコイルバネが回転軸の両端に設置し、宛がい壁と押え付け部に宛がい、第二ねじコイルバネが固持柱に設置し、宛がい壁に宛がう。連動柱両端にそれぞれ第一接続柱と第二接続柱に連続する。【選択図】図１
0003145225.tif 000002
【実用新案登録請求の範囲】
【請求項１】
基部、プラグ端子、作動部、ケースを含み、
該基部に基板を設置し、基板上に第一収容部と第二収容部が並んで設置し、基板上第一収納部と第二収納部の一端より宛がい壁を延伸し、該宛がい壁の両端に接続板を具有し、
プラグ端子は第一端子と第二端子を具有し、それぞれ第一収納部と第二収納部に接続し、第一端子と第二端子は基部より突き出したり、第一収納部と第二収納部に収納したりすることができ、第一端子に差込み板があり、該差込み板の一端より勘合部を延伸し、差込み板の該部分の両側に固持柱と第一接続柱が設け、第二端子は固持塊と個持塊上に個持してあるピンを具有し、個持塊の一側より第二接続柱を延伸し、
接続板の上に設置してある作動部は扣持元件、回転軸、第一ねじりコイルバネ、連動柱及び第二ねじりコイルバネを具有し、扣持元件は押え付け部があり、該押え付け部より延伸部を延伸し、延伸部の末端より勘合部を延伸し、回転軸は掛合件上に固持しする。第一ねじりコイルバネは第一設置部を具有し、該第一設置部の両端よりそれぞれ第一宛がい柱と第一作動柱を傾いて延伸し、第一設置部は回転軸の上に設け、第一宛がい柱は宛がい壁の外側に宛がって、第一作動柱は掛合件の押え付け部に宛がっている；第二ねじりコイルバネは第二設置部と第二設置部の両端より傾いて設置してある第二宛がい部及び第二作動部を具有し、第二作動部の末端が曲げられ一つの固定リングを延伸し、第二設置部が第一端子の固持柱の上に設置し、固持リングは第一接続柱に設けて、第二宛がい柱は宛がい壁の内側に宛がう。連動柱の上に第一接続穴と第二接続穴があり、第一端子の第一接続柱と第二端子の第二接続柱はそれぞれ第一接続穴と第二接続穴に接続し、扣持元件の扣持部は第一端子の掛合部に接続したり、解放したりすることができ、
ケースの上に開口を設け、該ケースは基部を被って、扣持元件の押え付け部は上述の開口より突出することを特徴とする折畳式プラグ装置。
【請求項２】
前記扣持元件の延伸部は押え付け部の一端に連結し、両側より外に固持カバーを延伸し、回転軸が固持カバーに固持し、その両端が固持カバーより突出し、接続板の上に接続槽を開設し、回転軸の両端は接続槽に接続することを特徴とする請求項1記載の折畳式プラグ装置。
【請求項３】
前記基部の上にクランプが設置され、該クランプは第一連接部を具有し、第一連接部の両端が第一連接部と垂直する上、並んで第二連接部を延伸し、第二連接部の末端より第三連接部を続いて延伸し、第三連接部の末端より後方に曲ってる尾部を延伸し、該尾部が相応的に接続板の外側に宛がうことを特徴とする請求項1記載の折畳式プラグ装置。
【請求項４】
前記クランプ第二連接部中部の下側に第一固持槽を開設し、第三連接部の末端より下向けに垂直し支え部を延伸し、支え部の下側に第二固持槽を開設し、第一収容槽は二式の第一側板を具有し、該第一側板の一端に第一接続槽を設け、第二収容部二つ並列する第二側板を具有し、該第二側板の上に第二接続槽を設置し、第一固持槽と第二収容槽内側の第二接続槽を配合し、クランプの支え部が第一側板と第二側板の間に設置させる上、第二固持槽の槽壁は相応的に第一端子の固持柱に宛がうこと特徴とする請求項3記載の折畳式プラグ装置。
【請求項５】
前記第二収容部の第二上部板の上に複数の定置柱が突出し、クランプの第一連接部、第二連接部、第三連接部及び尾部上に全部複数の定置穴を開設し、上述の定置柱をそれぞれ対応的にその穴中に固持すること特徴とする請求項4記載の折畳式プラグ装置。
【請求項６】
前記基板の第二収納部両側より垂直に固持板を延伸し、該固持板の上に固持槽を設け、上述第二端子の固持塊の一側より接続筒を延伸し、該接続筒の中に接続口を形成し、一つ接続部がその接続口に接続し、該接続部は宛がい部を具有し、該宛がい部の一側より円柱状の接続軸を延伸すると同時、宛がい部の反対側より矩形状の固持柱を延伸し、該接続軸は第二端子の接続口に連接し、接続筒に宛がって、固持柱は基部の固持槽に固持すること特徴とする請求項1記載の折畳式プラグ装置。
【考案の詳細な説明】
【技術分野】
【０００１】
本考案はプラグの構造に関し、特にプラグが折り畳めるプラグの構造に関する。
【背景技術】
【０００２】
科学技術の発展に従い、プラグ装置は広範に各種の電子製品に用いられている。プラグ装置は普通基部と一部突き出てるプラグ端子を持っている。プラグ端子をコンセント装置に差し込むことより、電子製品に電気を供給する。持ち易い性を考え、現在のプラグ装置は殆ど使わない時突き出てるプラグ端子が基部に収納される折畳式クラブを採用する。
アメリカの特許申請案第561170号『折畳式プラグ装置』は基部、基部の上に設置してある第一端子、第二端子及び折畳まれる駆動部を具有する。折畳まれる駆動部と第一端子の間に第一接続部で、第一端子と第二端子の間に第二接続部で繋がってある。第一端子と第二端子を収めようとする際、第一端子の反対方向で折畳まれる駆動部を押すことより、第一接続部が駆動部に従って移動する上、第一端子が回転され基部内に収納される状態になる。
【０００３】
また、第一端子の回転により、第二接続部が移動し、第二端子も基部内に収納される状態になる。上述の折畳式プラグ装置は折畳まれる駆動部より第一と第二端子を基部内に収納するという構造は複雑である上に製造と組み立てる面も難しいため、上述の技術を改善する必要があった。
【特許文献１】米国特許申請案第561170号
【考案の開示】
【考案が解決しようとする課題】
【０００４】
前記公知構造の欠点を解決するため、本考案は簡単に製造と組立てられる折畳式プラグ装置を提供することを主な課題とする。
【課題を解決するための手段】
【０００５】
上述の目的を解決するために、本考案は折畳式プラグ装置の構造を提供するものであり、基部、プラグ端子、作動部及びケースで構成している。該基部に基板を設置し、基板上に第一収容部と第二収容部が並んで設置してある。基板上第一収納部と第二収納部の一端より宛がい壁を延伸し、該宛がい壁の両端に接続板を具有する。プラグ端子は第一端子と第二端子を具有する。それぞれ第一収納部と第二収納部に接続する。第一端子と第二端子は基部より突き出したり、第一収納部と第二収納部に収納したりすることができる。第一端子に差込み板がある。該差込み板の一端より勘合部を延伸し、差込み板の該部分の両側に固持柱と第一接続柱が設けてある。第二端子は固持塊と個持塊上に個持してあるピンを具有する。個持塊の一側より第二接続柱を延伸する。接続板の上に設置してある作動部は扣持元件、回転軸、第一ねじりコイルバネ、連動柱及び第二ねじりコイルバネを具有する。扣持元件は押え付け部があり、該押え付け部より延伸部を延伸し、延伸部の末端より勘合部を延伸し、回転軸は扣持元件上に固持している。第一ねじりコイルバネは第一設置部を具有し、該第一設置部の両端よりそれぞれ第一宛がい柱と第一作動柱を傾いて延伸してある。第一設置部は回転軸の上に設けて、第一宛がい柱は宛がい壁の外側に宛がって、第一作動柱は扣持元件の押え付け部に宛がっている。第二ねじりコイルバネは第二設置部と第二設置部の両端より傾いて設置してある第二宛がい部及び第二作動部を具有する。第二作動部の末端が曲げられ一つの固定リングを延伸する。第二設置部が第一端子の固持柱の上に設置し、固持リングは第一接続柱に設けて、第二宛がい柱は宛がい壁の内側に宛がっている。連動柱の上に第一接続穴と第二接続穴がある。第一端子の第一接続柱と第二端子の第二接続柱はそれぞれ第一接続穴と第二接続穴に接続する。扣持元件の扣持部は第一端子の掛合部に接続したり、解放したりすることができる。ケースの上に開口を設け、該ケースは基部を被って、扣持元件の押え付け部は上述の開口より突き出している。
本考案は以下の特徴を有する。
（１）基部、プラグ端子、作動部、ケースを含み、
該基部に基板を設置し、基板上に第一収容部と第二収容部が並んで設置し、基板上第一収納部と第二収納部の一端より宛がい壁を延伸し、該宛がい壁の両端に接続板を具有し、
プラグ端子は第一端子と第二端子を具有し、それぞれ第一収納部と第二収納部に接続し、第一端子と第二端子は基部より突き出したり、第一収納部と第二収納部に収納したりすることができ、第一端子に差込み板があり、該差込み板の一端より勘合部を延伸し、差込み板の該部分の両側に固持柱と第一接続柱が設け、第二端子は固持塊と個持塊上に個持してあるピンを具有し、個持塊の一側より第二接続柱を延伸し、
接続板の上に設置してある作動部は扣持元件、回転軸、第一ねじりコイルバネ、連動柱及び第二ねじりコイルバネを具有し、扣持元件は押え付け部があり、該押え付け部より延伸部を延伸し、延伸部の末端より勘合部を延伸し、回転軸は掛合件上に固持しする。第一ねじりコイルバネは第一設置部を具有し、該第一設置部の両端よりそれぞれ第一宛がい柱と第一作動柱を傾いて延伸し、第一設置部は回転軸の上に設け、第一宛がい柱は宛がい壁の外側に宛がって、第一作動柱は掛合件の押え付け部に宛がっている；第二ねじりコイルバネは第二設置部と第二設置部の両端より傾いて設置してある第二宛がい部及び第二作動部を具有し、第二作動部の末端が曲げられ一つの固定リングを延伸し、第二設置部が第一端子の固持柱の上に設置し、固持リングは第一接続柱に設けて、第二宛がい柱は宛がい壁の内側に宛がう。連動柱の上に第一接続穴と第二接続穴があり、第一端子の第一接続柱と第二端子の第二接続柱はそれぞれ第一接続穴と第二接続穴に接続し、扣持元件の扣持部は第一端子の掛合部に接続したり、解放したりすることができ、
ケースの上に開口を設け、該ケースは基部を被って、扣持元件の押え付け部は上述の開口より突出することを特徴とする折畳式プラグ装置。
（２）前記扣持元件の延伸部は押え付け部の一端に連結し、両側より外に固持カバーを延伸し、回転軸が固持カバーに固持し、その両端が固持カバーより突出し、接続板の上に接続槽を開設し、回転軸の両端は接続槽に接続することを特徴とする（１）記載の折畳式プラグ装置。
（３）前記基部の上にクランプが設置され、該クランプは第一連接部を具有し、第一連接部の両端が第一連接部と垂直する上、並んで第二連接部を延伸し、第二連接部の末端より第三連接部を続いて延伸し、第三連接部の末端より後方に曲ってる尾部を延伸し、該尾部が相応的に接続板の外側に宛がうことを特徴とする（１）記載の折畳式プラグ装置。
（４）前記クランプ第二連接部中部の下側に第一固持槽を開設し、第三連接部の末端より下向けに垂直し支え部を延伸し、支え部の下側に第二固持槽を開設し、第一収容槽は二式の第一側板を具有し、該第一側板の一端に第一接続槽を設け、第二収容部二つ並列する第二側板を具有し、該第二側板の上に第二接続槽を設置し、第一固持槽と第二収容槽内側の第二接続槽を配合し、クランプの支え部が第一側板と第二側板の間に設置させる上、第二固持槽の槽壁は相応的に第一端子の固持柱に宛がうこと特徴とする（３）記載の折畳式プラグ装置。
（５）前記第二収容部の第二上部板の上に複数の定置柱が突出し、クランプの第一連接部、第二連接部、第三連接部及び尾部上に全部複数の定置穴を開設し、上述の定置柱をそれぞれ対応的にその穴中に固持すること特徴とする（４）記載の折畳式プラグ装置。
（６）前記基板の第二収納部両側より垂直に固持板を延伸し、該固持板の上に固持槽を設け、上述第二端子の固持塊の一側より接続筒を延伸し、該接続筒の中に接続口を形成し、一つ接続部がその接続口に接続し、該接続部は宛がい部を具有し、該宛がい部の一側より円柱状の接続軸を延伸すると同時、宛がい部の反対側より矩形状の固持柱を延伸し、該接続軸は第二端子の接続口に連接し、接続筒に宛がって、固持柱は基部の固持槽に固持すること特徴とする（１）記載の折畳式プラグ装置。
【考案の効果】
【０００６】
上述の課題を解決するために、本考案は一つ新式折畳式プラグ装置の構造を提供する。第一端子を動かすことにより、連動柱が移動して、第二端子は第一端子の回転に従い、基部内に収納される。その上、扣持元件の扣持部は第一端子の掛合部を開放することによって、第一端子と第二端子は基部から突き出すことができる。構造がシンプル化し、簡単に製造と組立てることができる。
【考案を実施するための最良の形態】
【０００７】
本考案によるプラグ装置の構造を明確に示すために図に沿って詳細な説明を行う。
【０００８】
図１に示すのは、本考案折畳式プラグ装置に含む基部10、プラグ端子20、作動部30、押さえ板40及びケース50である。
【０００９】
図1及び図２に示すのは、基部10は基板11を具有し、該基板11の真ん中に第一通槽12を設ける。基板11は第一通槽12の所で上に向って第一収容部13を形成する。該第一収容部13は第一通槽12が相隣する三つ縁所に基板11と垂直に上より第一側壁131を延伸し、その中相対的に設置する二つ第一側壁131の一端に半円弧の第一凹む溝132を開設する。該第一側壁131のトップに第一上部板133を連接し、上述第一通槽12の両側にそれぞれ第二通槽14を開設し、基板11で該第二通槽14の所に第二収容部15を形成する。
【００１０】
該第二収容部15は第二通槽14が相隣する三つ縁所と垂直に上より第二側壁151を延伸し、その中相対的に設置する二つ第二側壁151に第一凹む溝と離れる一端にそれぞれ半円弧の第二凹む溝152を開設する。第二側壁151のトップにも相対的に第二上部板153を連接し、第二側壁151と第二上部板153は第二収容槽154を形成する。
【００１１】
上述の第二上部板153より上に複数の定置柱19を延伸する。基板11で第一凹む溝を相隣する一端より垂直し宛がい壁16を延伸し、該宛がい壁16が第二側壁151の一端と接続する。基板11で宛がい壁16の両端より垂直し、それぞれ接続板17を延伸し、該接続板17の上に各自円弧状の底部をもっている接続槽171を開設する。基板11で第二収容部15の両側より各自固持板18を延伸し、該固持板18の上に皆矩形の固持槽181を開設する。
【００１２】
図１に示すように、プラグ端子20は第一端子21、二列並んで設置する第二端子22及び二つの接続部23を具有する。第一端子21は細長い差込み板211を具有し、該差込み板211の一端より横方向に沿って掛合部212を延伸し、差込み板211の両側よりそれぞれ外に向って固持柱213を延伸する。該固持柱213の斜め前方より第一接続柱214を延伸する。
【００１３】
第二端子22は矩形の固持塊221を具有する。該固持塊221一端の一側より接続筒222を延伸し、該接続筒222は接続口223を具有する。該固持塊221の反対側より抵触柱224を延伸し、抵触柱224の一側より扇形のストッパーブロック225を延伸し、ストッパーブロック225は抵触柱21の斜め下方に第二接続柱226を固持する。一つピン227は固持塊221の上に固持し、その両端は該固持塊221より突出する。
【００１４】
接続部23は円盤状の宛がい部231を具有する。該宛がい部231の一側より円柱状の接続軸232を延伸し、宛がい部231の反対側より矩形状の固持柱233を延伸する。該接続部23の接続軸232は第二端子22の接続口223の中に接続する上、その宛がい部231は接続筒に宛がっている。
【００１５】
図１と図３に示すように、作動部30は扣持元件31、回転軸32、二式の第一ねじりコイルバネ33、二式の連動柱34及び二式の第一ねじりコイルバネ35を具有する。扣持元件31に矩形状の押え付け部311はその一側より斜め向上に延伸部312を延伸し、延伸部312の末端より下に扣持部313を延伸し、延伸部312は押え付け部311の一端と連結し、両側より外に固持カバー314を延伸する。回転軸32は固持カバー314の中に固持し、その両端は皆固持カバーより突出する。
【００１６】
第一ねじりコイルバネ33は弾力性材料から巻いてきた円筒状の第一設置部331を具有する。第一設置部331の両端よりそれぞれ両側に傾斜に第一宛がい棒332と第一作動棒333を延伸し、第一宛がい棒332と第一作動棒333の間に一つの夾角を形成する。連動柱34の両端にそれぞれ第一接続穴341と第二接続穴342を開設した上、隣相応的な第一接続穴341と第二接続穴342に各自第一宛がい槽343と第二宛がい槽344を開設する。
第二ねじりコイルバネ35は弾力性材料から巻いてきた円筒状の第二設置部351を具有する。第二設置部351の両端よりそれぞれ両側に傾斜に第二宛がい棒352と第二作動棒353を延伸し、該第二作動棒353の末端より延伸し垂直に曲ってある宛がい部354があり、該第二作動棒353の末端より円形の固持リング355を曲って延伸する。
【００１７】
図１に示すように、クランプ40は第一連接部41を具有する。該第一連結部41の両端は皆第一連結部41と垂直し、第二連結部42を並列的に延伸する。第二連接部42中部の下側に第一固持槽421を開設する。第二連接部42の末端より第三連接部43を続いて延伸し、第三連接部43の末端より下に支え部44を延伸し、支え部44の下側に第二固持槽441を開設する。第三連接部43の末端より後方に曲ってる尾部45を延伸する。該クランプ40の第一連接部41、第二連接部42、第三連接部43及び尾部45の上に皆複数の定置穴46が開設する。上述ケース50はカバー51とカバー51の縁と連結する側板52を具有する。一つ側板52の下部に矩形の開口521を開設する。
【００１８】
図４から図６に示すように、第二ねじコイルバネ35の第二設置部351は第一端子21の固持柱213に接続し、固持リング355は第一接続柱214に設置する。上述連動柱34の第一接続穴341は第一端子31の第一接続柱214と接続することによって、固持リング355を差込み板211と連動棒34の間に置かせる上、第一宛がい槽343も第二設置部351に宛がうことができる。連動棒34の第二接続穴342は第二端子22の第二接続柱226と接続し、第二宛がい槽344も宛がい柱224に宛がうことができる。
【００１９】
第一端子21、第二端子22、連動棒34及び第二ねじコイルバネ35は全部基部10の上に固持する。第一端子21の固持柱213は第一収容部13の第一凹む溝132の中に接続し、差込み板211の固持柱213は第一収容槽134に収納したり、ある部分が第一通槽12より基板11から突出したりすることができる。第二端子22の接続筒222及びストッパーブロック225は第二収容部15と相応する第二凹む溝152の中に接続し、接続部23の固持柱233は基部10の固持槽181に固持し、第二端子22は第二収容槽154に収納したり、ある部分が第二通槽14より基板11から突出したりすることができる。連動棒34は第一収容部13の第一側板131と第二収容部15の第二側板151の間に収納される。第二ねじコイルバネ35の宛がい部354は基部10の宛がい壁17の内側面に宛がっている。
【００２０】
第一ねじコイルバネ33の第一設置部331はそれぞれ扣持元件31から突出する回転軸32の固持カバー314の両端に接続する。扣持元件31、回転軸32及び第一ねじコイルバネ33の組合せは基部10の上に固持し、回転軸32の両端はそれぞれ相応的に接続板17と接続槽171の中に接続する。また、第一ねじコイルバネ33の第一作動棒333は扣持元件31の押え付け部311の一側に宛がって、第一ねじコイルバネ33の第一宛がい棒332の末端は基部10の宛がい壁17の外側面に宛がっている。
【００２１】
クランプ40は基部10の上に勘合し、基部10の定置柱19は相応的にクランプ40の定置穴46に固持する。クランプ40の第一固持槽421と第二収容部15内側の第二凹む溝152を配合し、クランプ40の支え部44が第一側板131と第二側板151の間に設置される上に、第二固持槽441の槽壁は相応的に第一端子21の固持柱213に宛がって、クランプ40の尾部45は相応的に接続板17の外側に宛がう。ケース50は基部10の上にカバーし、扣持元件31の押え付け部311はケース50の開口521から突出する。
【００２２】
図７と図８をご参酌ください。使用する際、該折畳式プラグ装置1の第一端子21と第二端子22は基部10より突出するため、コンセント装置（図に未掲載）に差し込むことができる。使用終了後、第一収容槽13方向に第一端子21の差込み板211を動かすことより、第一端子21は固持柱213を中心に回転し、扣持部212と第一接続柱214は皆扣持元件31に向って回転する。連動棒34は接続軸214の連動により同様に扣持元件31に向って動くと同時に第二端子22は接続部23の接続軸232を中心軸として回転することにより、固持塊221とピン226は第二収容槽方向へ運動する。差込み板211を完全に第一収容槽134に収納するまで続いて動かし、この際、第二端子22も相応的に完全に第二収容槽154の中に収納される。第一端子21の勘合部212は扣持元件31の扣持部313と勘合することで、第一端子21及び第二端子22は各自安定に第一収容槽134と第二収容槽154に収納される。
【００２３】
該折畳式プラグ装置1を使用する際、扣持元件31の押え付け部311を内面に押すと、扣持元件31は回転軸32を中心に回転することで、扣持部313が上に動き、第一端子21の扣持部212を開放する。差込み板211は第二ねじコイルバネ35の弾力作用を介し、固持柱213を中心に回転し、差込み板211が基部10より突出させる。第一接続柱214は連動柱34を動かすことにより、第二端子22はストッパーブロック225が第二接続槽152の壁に宛がうまで接続部23の接続軸232を中心軸として回転する。上述ことにより、ピン226及び一部の固持塊221は基部10より突出し基板11と垂直する。
【００２４】
上述内容を纏めて言うと、本考案は一つの新式折畳式プラグ装置1を提案する。第一端子21を動かすことにより連動棒34が移動され、第二端子22は第一端子21の回転により基部10に収納される上、扣持元件31の掛合部313は第一端子21の扣持部212を開放し、第一端子21及び第二端子22が基部より突出することで、構造がシンプル化し、簡単に製造と組立てることができる。
【図面の簡単な説明】
【００２５】
【図１】本考案折畳式プラグ装置の立体分解図である。
【図２】本考案折畳式プラグ装置の基部分立体図である。
【図３】本考案折畳式プラグ装置の作動部の立体分解図である。
【図４】本考案折畳式プラグ装置のケースを外した立体組立図である。
【図５】本考案折畳式プラグ装置のプラグ端子と作動部の立体組立図である。
【図６】本考案折畳式プラグ装置の立体組立図である。
【図７】本考案折畳式プラグ装置使用際の断面である。
【図８】本考案折畳式プラグ装置折畳後の断面図である。
【符号の説明】
【００２６】
1        折畳式プラグ装置
10 基部
11 基板
12 第一通槽
13 第一収容部
131 第一側板
132 第一凹む溝
133 第一上部板
134 第一収容槽
14 第二通槽
15 第二収容部
151      第二側板
152      第二凹む溝
153      第二上部板
154 第二収容槽
16 第二宛がい壁
17 接続板
171 接続槽
18 固持板
181      固持槽
19 定置柱
20 プラグ端子
21 第一端子
211 差込み板
212 扣持部
213 固持柱
214 第一接続柱
22 第二端子
221 固持塊
222 接続筒
223 接続口
224 宛がい柱
225 ストッパーブロック
226 第二接続柱
227 ピン
23 接続部
231 宛がい部
232 接続軸
233 固持柱
30 作動部
31 扣持元件
311 押さえ付け部
312 延伸部
313 扣持部
314 固持カバー
32 回転軸
33 第一ねじりコイルバネ
331 第一設置部
332 第一宛がい棒
333 第一作動棒
34 連動棒
341 第一接続穴
342 第二接続穴
343 第一宛がい槽
344 第二宛がい槽
35      第二ねじりコイルバネ
351    第二設置部
352    第二宛がい棒
353 第二作動棒
354 宛がい部
355 固持リング
40 クランプ
41 第一連接部
42 第二連接部
421 第一固持槽
43 第三連接部
44     支え部
441 第二固持槽
45 尾部
50 ケース
51 カバー
52 側板
521 開口
【図１】
0003145225.tif 000003
【図２】
0003145225.tif 000004
【図３】
0003145225.tif 000005
【図４】
0003145225.tif 000006
【図５】
0003145225.tif 000007
【図６】
0003145225.tif 000008
【図７】
0003145225.tif 000009
【図８】
0003145225.tif 000010